(57)【要約】【課題】回転時における変形を抑制できる回転部材を得る。【解決手段】回転ドラム２４は、周面に印刷版が巻き付けられた状態で高速回転されて、記録ヘッドによって印刷版に露光処理が行われる。また、回転ドラム２４の一部をそれぞれ構成する４つのドラムパーツ２４Ａは、回転ドラム２４の周方向へ沿って配置されている。ここで、ドラムパーツ２４Ａとドラムパーツ２４Ａとが互いに組み付けられる際には、各ドラムパーツ２４Ａの嵌合面４２が、接着剤を塗布された状態で互いに嵌合されて互いに接着される。さらに、挿入ピン４０が接着剤を塗布された状態で挿入孔３８内に挿入されて、挿入ピン４０が挿入孔３８の周面に係止されると共に、挿入ピン４０と挿入孔３８の周面とが接着される。このため、回転ドラム２４の剛性を高めることがき、回転部材の高速回転時における変形を抑制することができる。【選択図】      図１
2004294545.tif 000002
【特許請求の範囲】
【請求項１】
シート材が配置された状態で回転される回転部材であって、
それぞれ一部を構成すると共に回転方向へ沿って配置される複数のパーツ部材を備え、
かつ、前記パーツ部材と前記パーツ部材とが接着により互いに組み付けられた、
ことを特徴とする回転部材。
【請求項２】
前記パーツ部材と前記パーツ部材とが互いに組み付けられる際に当該各パーツ部材に係止されると共に接着される係止部材を備えた、ことを特徴とする請求項１記載の回転部材。
【請求項３】
前記パーツ部材と前記パーツ部材とにそれぞれ設けられ、当該各パーツ部材が互いに組み付けられる際に互いに嵌合されると共に互いに接着される嵌合面を備えた、ことを特徴とする請求項１または請求項２記載の回転部材。
【発明の詳細な説明】
【０００１】
【発明の属する技術分野】
本発明は、シート材が配置された状態で回転される回転部材に関する。
【０００２】
【従来の技術】
画像記録装置としては、ドラムの外周面に巻き付けられた刷版に、ドラムを高速回転させた状態でレーザ光を照射することで、刷版に画像を記録するものがある（例えば、特許文献１参照）。
【０００３】
この画像記録装置のドラムは、一対のドラム部材により構成されて、一対のドラム部材が互いに結合されることで組み立てられている。
【０００４】
しかしながら、このようなドラムでは、ドラム部材とドラム部材との結合面が平面とされている。しかも、各ドラム部材にそれぞれ穴部が設けられて、各穴部に固定具（ボルト）が挿入されることで、一対のドラム部材が互いに結合されたのみである。このため、ドラムの剛性が低く、ドラムを高速回転させると、ドラムの外周面の変形が大きくなる。これにより、刷版に良好な画像を記録できないという問題がある。
【０００５】
さらに、ドラムは両端面のみ開放されている。このため、ドラムの軸線方向中央部に近くなるほど、穴部に固定具を挿入する作業を行うことが困難になる。これにより、一対のドラム部材を結合する作業が困難であるという問題もある。
【０００６】
また、ドラムの外周面は、切削加工されて、溝部等が形成されている。このため、一対のドラム部材を結合した後にドラムの外周面の切削加工を行う場合には、ドラム部材とドラム部材との結合面間に、当該切削加工時の切粉が詰まる。これにより、ドラムの外周面を切削加工する工程に、ドラム部材とドラム部材との結合面間に詰まった切粉を適切な方法で除去する作業が必要となる。
【０００７】
【特許文献１】
特開２００１−３３９７７公報
【０００８】
【発明が解決しようとする課題】
本発明は上記事実を考慮し、回転時における変形を抑制できると共に、パーツ部材とパーツ部材との組付部分に異物が侵入することを抑制できる回転部材を得ることが目的である。
【０００９】
【課題を解決するための手段】
請求項１に記載の回転部材は、シート材が配置された状態で回転される回転部材であって、それぞれ一部を構成すると共に回転方向へ沿って配置される複数のパーツ部材を備え、かつ、前記パーツ部材と前記パーツ部材とが接着により互いに組み付けられた、ことを特徴としている。
【００１０】
請求項１に記載の回転部材では、シート材が配置された状態で回転される。また、この回転部材は、複数のパーツ部材を備えており、複数のパーツ部材は、それぞれ回転部材の一部を構成すると共に、回転部材の回転方向へ沿って配置されている。
【００１１】
ここで、パーツ部材とパーツ部材とが互いに接着により組み付けられている。このため、回転部材の剛性を高めることができ、回転部材の回転時における変形を抑制することができる。
【００１２】
さらに、パーツ部材とパーツ部材との組付部分が接着により埋められるため、当該組付部分に接着手段以外の異物が侵入することを抑制することができる。
【００１３】
請求項２に記載の回転部材は、請求項１に記載の回転部材において、前記パーツ部材と前記パーツ部材とが互いに組み付けられる際に当該各パーツ部材に係止されると共に接着される係止部材を備えた、ことを特徴としている。
【００１４】
請求項２に記載の回転部材では、パーツ部材とパーツ部材とが互いに組み付けられる際に、係止部材が当該各パーツ部材に係止されると共に接着される。このため、回転部材の剛性を係止部材によって一層高めることができ、回転部材の回転時における変形を一層抑制することができる。
【００１５】
さらに、仮に係止部材が当該各パーツ部材に若干の隙間を有して係止される場合でも、係止部材が当該各パーツ部材に接着されるため、依然として回転部材の剛性を高く維持することができる。これにより、係止部材及び当該各パーツ部材の製造精度を下げることができ、係止部材及び当該各パーツ部材の製造を容易にすることができる。さらに、係止部材を当該各パーツ部材に容易かつ確実に係止させることができ、当該各パーツ部材を容易かつ確実に組み付けることができる。
【００１６】
請求項３に記載の回転部材は、請求項１または請求項２に記載の回転部材において、前記パーツ部材と前記パーツ部材とにそれぞれ設けられ、当該各パーツ部材が互いに組み付けられる際に互いに嵌合されると共に互いに接着される嵌合面を備えた、ことを特徴としている。
【００１７】
請求項３に記載の回転部材では、パーツ部材とパーツ部材とが互いに組み付けられる際に、当該各パーツ部材にそれぞれ設けられた各嵌合面が、互いに嵌合されると共に互いに接着される。このため、回転部材の剛性を確実に高めることがき、回転部材の回転時における変形を確実に抑制することができる。
【００１８】
【発明の実施の形態】
図３には、本発明の実施の形態に係る印刷版自動露光装置１０が側面図にて示されている。
【００１９】
本実施の形態に係る印刷版自動露光装置１０は、シート材としてのフォトポリプレートやサーマルプレート等の印刷版１２における支持体上の画像形成層（感光層や感熱層等）に画像を露光（記録）するものであり、所謂アウタードラム方式のものとされている。
【００２０】
印刷版自動露光装置１０は、搬送ガイドユニット１４と、パンチ部１６と、露光部１８と、に分かれており、搬送ガイドユニット１４の前方にパンチ部１６及び露光部１８が配置されると共に、パンチ部１６の下方に露光部１８が配置されている。
【００２１】
搬送ガイドユニット１４は、略四角形平板状の給版ガイド２０と、略四角形平板状の排版ガイド２２と、を有しており、給版ガイド２０と排版ガイド２２とは互いの相対位置関係が横Ｖ字型とされている。搬送ガイドユニット１４は、給版ガイド２０の後端付近を中心として所定角度回動して上下方向へ移動する構造となっており、この回動によって、搬送ガイドユニット１４を選択的にパンチ部１６や露光部１８に対応させることができる。
【００２２】
ここで、搬送ガイドユニット１４が回動されて給版ガイド２０がパンチ部１６に対応（対向）されることで、パンチ部１６に給版ガイド２０から印刷版１２の前端部が搬送されて、例えば円孔と長孔等の所定数のパンチ孔（図示省略）が穿孔される。パンチ部１６での処理が終了すると、印刷版１２が給版ガイド２０上へ戻される。
【００２３】
露光部１８は、回転部材としての略円筒状の回転ドラム２４を備えており、回転ドラム２４は図３の矢印Ａ及び矢印Ｂの方向へ回転可能とされている。
【００２４】
ここで、上述の如くパンチ部１６から給版ガイド２０上へ印刷版１２が戻されると、搬送ガイドユニット１４が回動されて給版ガイド２０が露光部１８に対応される（回転ドラム２４の接線方向に対向される）ことで、回転ドラム２４の周面上に印刷版１２の前端が搬送されて、印刷版１２が位置決めされる。
【００２５】
回転ドラム２４の周面には、印刷版１２の前端が搬送される位置において、板状の前端チャック５４が設けられている。前端チャック５４は回転ドラム２４に回転自在に支持されると共に、前端チャック５４の前側には回転ドラム２４の周面から離間される方向へ弾性力が付与されている。
【００２６】
前端チャック５４の上方には前端チャック開閉ユニット５６が設けられており、前端チャック開閉ユニット５６には棒状の押しピン５７が設けられている。押しピン５７は前端チャック開閉ユニット５６から前端チャック５４へ向けて突出しており、押しピン５７が前端チャック５４の前側を押圧することで、前端チャック５４の後側が回転ドラム２４の周面から離間している。これにより、上述の如く給版ガイド２０から回転ドラム２４の周面上に搬送される印刷版１２の前端が前端チャック５４の後側と回転ドラム２４の周面との間に挿入され、この状態で上記印刷版１２の位置決めが行われる。また、上記印刷版１２の位置決めが終了した後には、押しピン５７が前端チャック５４から離間して前端チャック５４前側の押圧を解除することで、前端チャック５４後側が前記弾性力により印刷版１２の前端を押圧して、回転ドラム２４の周面に印刷版１２の前端が保持される。さらに、回転ドラム２４の周面に印刷版１２の前端が保持されると、回転ドラム２４が図３の矢印Ａの方向へ回転されて、印刷版１２が回転ドラム２４の周面に巻き付けられる。
【００２７】
回転ドラム２４の周面近傍には、前端チャック開閉ユニット５６よりも図３の矢印Ａの方向側において、スクイズローラ５８が配設されている。スクイズローラ５８は、回転ドラム２４側へ移動されることで、回転ドラム２４に巻き付けられる印刷版１２を回転ドラム２４へ向けて押圧しつつ回転され、印刷版１２を回転ドラム２４の周面に密着させる。
【００２８】
回転ドラム２４の周面近傍には、前端チャック開閉ユニット５６よりも図３の矢印Ｂの方向側において、後端チャック着脱ユニット６０が配設されている。後端チャック着脱ユニット６０はシャフト６２を有しており、シャフト６２は回転ドラム２４へ向けて移動可能とされている。シャフト６２の先端には後端チャック６４が装着されており、回転ドラム２４に巻き付けた印刷版１２の後端が後端チャック着脱ユニット６０に対向すると、後端チャック着脱ユニット６０及びシャフト６２が後端チャック６４を回転ドラム２４側へ移動させて回転ドラム２４の所定の位置に装着すると同時に、シャフト６２から後端チャック６４が離脱される。これにより、後端チャック６４が印刷版１２の後端を押圧して、回転ドラム２４の周面に印刷版１２の後端が保持される。
【００２９】
このように、前端チャック５４及び後端チャック６４によって印刷版１２の前端及び後端が回転ドラム２４に保持されると、スクイズローラ５８が回転ドラム２４から離間された後に、回転ドラム２４が所定の回転速度で高速回転される。
【００３０】
回転ドラム２４の周面近傍には、記録ヘッド６６が配設されており、記録ヘッド６６は、高速回転される回転ドラム２４に向け、この回転ドラム２４の回転に同期させて、読み込まれた画像データに基づいて変調した光ビームを照射し、これにより、印刷版１２が画像データに基づいて露光される。この露光処理は、回転ドラム２４を高速で回転させながら（主走査）、記録ヘッド６６を回転ドラム２４の軸線方向へ移動させる（副走査）、所謂走査露光である。
【００３１】
この印刷版１２への走査露光が終了すると、回転ドラム２４の所定回転位置でスクイズローラ５８が印刷版１２に当接される。次に、後端チャック６４がシャフト６２に対向する位置で回転ドラム２４が一時停止され、後端チャック着脱ユニット６０及びシャフト６２によって回転ドラム２４から後端チャック６４が取り外されると同時にシャフト６２に後端チャック６４が装着されて、後端チャック６４による印刷版１２後端の押圧が解除される。さらに、搬送ガイドユニット１４が回動されて排版ガイド２２が露光部１８に対応された（回転ドラム２４の接線方向に対向された）後、回転ドラム２４が図３の矢印Ｂの方向へ回転されることで、印刷版１２が後端側から排版ガイド２２へ排出される。この際、回転ドラム２４の所定回転位置でスクイズローラ５８が印刷版１２から離間され、さらに、前端チャック開閉ユニット５６の押しピン５７が回転ドラム２４側へ移動されて前端チャック５４の前側を押圧することで、前端チャック５４後側による印刷版１２の前端の押圧が解除される。また、印刷版１２が排版ガイド２２に送られると、搬送ガイドユニット１４が回動されて、排版ガイド２２から印刷版１２が排出され、これにより、印刷版１２が印刷版自動露光装置１０に隣接する次工程の現像装置または印刷装置（図示省略）へ搬送される構成である。
【００３２】
ところで、図１及び図２に示す如く、露光部１４の回転ドラム２４は、パーツ部材としての筒状のドラムパーツ２４Ａを４つ有しており、各ドラムパーツ２４Ａは、回転ドラム２４の周方向（回転方向）に沿って均等に４分割された一部を構成して、ほぼ同一形状とされている。
【００３３】
各ドラムパーツ２４Ａは、円弧板状の外周壁２６を有しており、外周壁２６は、回転ドラム２４の周方向に沿って配置されると共に、外周面が回転ドラム２４の周面を構成している。各ドラムパーツ２４Ａは、外周壁２６の内側において、円弧板状の内周壁２８を有しており、内周壁２８は、回転ドラム２４の周方向に沿って配置されている。外周壁２６の周方向両端は、それぞれ内周壁２８の周方向両端に、略平板状の側壁３０によって連結されている。さらに、外周壁２６の周方向中央は、それぞれ内周壁２８の周方向中央に、平板状の補強壁３２によって連結されている。
【００３４】
各ドラムパーツ２４Ａにおける一方の側壁３０には、四角柱状の嵌合凸部３４が一対形成されており、各嵌合凸部３４は、一方の側壁３０の外面から垂直に突出すると共に、一方の側壁３０の長手方向両端間に渡って回転ドラム２４の軸方向に平行に配置されている。各ドラムパーツ２４Ａにおける他方の側壁３０には、四角柱状の嵌合凹部３６が一対形成されており、各嵌合凹部３６は、他方の側壁３０の外面から垂直に凹むと共に、他方の側壁３０の長手方向両端間に渡って回転ドラム２４の軸方向に平行に配置されている。一対の嵌合凸部３４は、一対の嵌合凹部３６に嵌合されている。
【００３５】
回転ドラム２４には、嵌合凸部３４の一側壁と嵌合凹部３６の一側壁との境界部分において、長尺円柱状の挿入孔３８が形成されており、挿入孔３８は回転ドラム２４の軸方向両端間に渡って回転ドラム２４の軸方向に平行に配置されている。挿入孔３８内には、係止部材としての鋼（ステンレス等）製の長尺円柱状とされた挿入ピン４０が挿入されており、これにより、挿入ピン４０が嵌合凹部３６及び嵌合凸部３４に係止されて、嵌合凸部３４と嵌合凹部３６との嵌合が解除されることが阻止されている。挿入ピン４０は挿入孔３８より若干小さな径とされており、挿入ピン４０と挿入孔３８の周面とは、接着剤により接着されている。
【００３６】
側壁３０外面の外周壁２６側端部は、平面状の嵌合面４２とされており、隣設された各側壁３０の嵌合面４２は互いに嵌合されると共に接着剤により接着されている。
【００３７】
ここで、各ドラムパーツ２４Ａ（外周壁２６、内周壁２８、側壁３０（嵌合凸部３４、嵌合凹部３６、挿入孔３８及び嵌合面４２を含む）及び補強壁３２）は、成形機（図示省略）によって同一形状に成形される。
【００３８】
また、嵌合凸部３４と嵌合凹部３６との嵌合、挿入孔３８内への挿入ピン４０の挿入及び側壁３０の嵌合面４２同士の嵌合かつ接着によって、４つのドラムパーツ２４Ａが組み付けられることで、回転ドラム２４が組み立てられている。
【００３９】
なお、回転ドラム２４を組み立てる際における嵌合凸部３４と嵌合凹部３６との嵌合は、図１に示す如く、３つのドラムパーツ２４Ａ間において嵌合凸部３４と嵌合凹部３６とを嵌合させた後、当該３つのドラムパーツ２４Ａに対し残りのドラムパーツ２４Ａを回転ドラム２４の軸方向へスライドさせて、当該３つのドラムパーツ２４Ａと残りのドラムパーツ２４Ａとの間において嵌合凸部３４と嵌合凹部３６とを嵌合させる。あるいは、一対のドラムパーツ２４Ａ間において嵌合凸部３４と嵌合凹部３６とを嵌合させると共に、他の一対のドラムパーツ２４Ａ間において嵌合凸部３４と嵌合凹部３６とを嵌合させた後、各対のドラムパーツ２４Ａ間において嵌合凸部３４と嵌合凹部３６とを嵌合させる。
【００４０】
回転ドラム２４の周面には、隣設されたドラムパーツ２４Ａ間において、凹状の切欠部４４が形成されている。切欠部４４は回転ドラム２４の軸方向両端間に渡って回転ドラム２４の軸方向に平行に配置されており、切欠部４４には上記前端チャック５４が取り付けられている。また、切欠部４４は、回転ドラム２４が組み立てられた後に回転ドラム２４の切削加工によって形成される。
【００４１】
回転ドラム２４の周面には、凹状の溝部４６が複数形成されており、溝部４６は回転ドラム２４の周方向に沿って配置されている。また、溝部４６は、回転ドラム２４が組み立てられた後に回転ドラム２４の切削加工によって形成される。
【００４２】
回転ドラム２４の両端には、それぞれ中心において回転軸ユニット４８が設けられている。回転軸ユニット４８は円盤状のフランジ５０を有しており、フランジ５０がボルト締めにより各ドラムパーツ２４Ａの内周壁に固定されることで、回転軸ユニット４８が回転ドラム２４に取り付けられている。フランジ５０には円柱状の回転軸５２が一体に固定されており、回転ドラム２４は回転軸５２を中心に回転される。
【００４３】
なお、回転ドラム２４は、直径が３３０ｍｍ程度とされると共に、軸線方向長さが１２００ｍｍ程度とされている。また、挿入孔３８の径は、６ｍｍ程度とされている。
【００４４】
次に、本実施の形態の作用を説明する。
【００４５】
以上の構成の印刷版自動露光装置１０では、搬送ガイドユニット１４が回動されて給版ガイド２０がパンチ部１６に対応されることで、給版ガイド２０上の印刷版１２がパンチ部１６へ搬送されて、パンチ部１６によって印刷版１２の前端部に所定数のパンチ孔が穿孔された後、印刷版１２が給版ガイド２０上へ戻される。
【００４６】
次に、搬送ガイドユニット１４が回動されて給版ガイド２０が露光部１８に対応されることで、給版ガイド２０上の印刷版１２が回転ドラム２４へ搬送されて、位置決めされる。このように位置決めされた印刷版１２は、前端と後端とがそれぞれ前端チャック５４と後端チャック６４とによって回転ドラム２４の周面に保持されると共にスクイズローラ５８によって回転ドラム２４の周面に密着されつつ、回転ドラム２４の周面に巻き付けられる（配置される）。その後、回転ドラム２４が高速回転されて、記録ヘッド６６によって露光処理が行われる。
【００４７】
露光処理が終了すると、搬送ガイドユニット１４が回動されて排版ガイド２２が回転ドラム２４へ対応されると共に、前端チャック５４及び後端チャック６４による印刷版１２の回転ドラム２４周面への保持が解除されつつ、印刷版１２が回転ドラム２４から排版ガイド２２へ排出される。その後、搬送ガイドユニット１４が回動されて排版ガイド２２から印刷版１２が現像装置または印刷装置へ搬送される。
【００４８】
ところで、露光部１８の回転ドラム２４は、４つのドラムパーツ２４Ａを備えており、４つのドラムパーツ２４Ａは、それぞれ回転ドラム２４の一部を構成すると共に、回転ドラム２４の周方向へ沿って配置されている。
【００４９】
ここで、ドラムパーツ２４Ａとドラムパーツ２４Ａとが互いに組み付けられる際には、各ドラムパーツ２４Ａの各側壁３０に設けられた各嵌合面４２が、接着剤を塗布された状態で互いに嵌合されて、互いに接着される。さらに、挿入ピン４０が接着剤を塗布された状態で挿入孔３８内に挿入されることで、挿入ピン４０が各ドラムパーツ２４Ａ（挿入孔３８の周面）に係止されると共に、挿入ピン４０と各ドラムパーツ２４Ａ（挿入孔３８の周面）とが接着される。
【００５０】
このため、回転ドラム２４の剛性を確実かつ充分に高めることがき、回転ドラム２４の高速回転時における変形を確実かつ充分に抑制することができる。これにより、印刷版１２に良好な画像を記録することができる。
【００５１】
また、仮に挿入ピン４０を挿入孔３８内に圧入するのみで、回転ドラム２４の剛性を高める構成とすると、挿入ピン４０やドラムパーツ２４Ａ（挿入孔３８）を高精度に製造する必要がある。これは、挿入ピン４０や挿入孔３８に寸法誤差が生じると、挿入ピン４０が挿入孔３８の周面を押圧する押圧力が均一にならなかったり、挿入ピン４０の径が挿入孔３８の径よりも大き過ぎて挿入ピン４０を挿入孔３８内へ必要な長さだけ圧入できなくて、回転ドラム２４の剛性を均一に高めることができない可能性があること、また、挿入ピン４０の径が挿入孔３８の径よりも小さいと回転ドラム２４の剛性を充分に高めることができなくなることによる。
【００５２】
ここで、本実施の形態の如く、挿入ピン４０の径が挿入孔３８の径より若干小さくされて、挿入ピン４０が各ドラムパーツ２４Ａ（挿入孔３８の周面）に若干の隙間を有して係止されても、挿入ピン４０が各ドラムパーツ２４Ａ（挿入孔３８の周面）に接着されるため、依然として回転ドラム２４の剛性を高く維持することができると共に、回転ドラム２４の剛性を均一に高めることができる。
【００５３】
このため、挿入ピン４０の径を挿入孔３８の径より若干小さく製造できると共に、挿入孔３８の径を挿入ピン４０の径より若干大きく製造できる。これにより、挿入ピン４０及び挿入孔３８の製造精度を下げることができ、挿入ピン４０及びドラムパーツ２４Ａ（挿入孔３８）の製造を容易にすることができる。さらに、挿入ピン４０を挿入孔３８の周面に容易かつ確実に係止させることができ、各ドラムパーツ２４Ａを容易かつ確実に組み付けることができる。
【００５４】
また、各ドラムパーツ２４Ａの各嵌合面４２間（ドラムパーツ２４Ａ同士の組付部分）が接着により埋められるため、本実施の形態の如く、各ドラムパーツ２４Ａが互いに組み付けられた後に、回転ドラム２４の周面が切削加工されて切欠部４４や溝部４６が形成される場合でも、各ドラムパーツ２４Ａの各嵌合面４２間に切粉が詰まる（接着剤以外の異物が侵入する）ことを防止することができる。これにより、各嵌合面４２間に詰まった切粉を適切な方法で除去する作業が不要であり、回転ドラム２４の周面を切削加工する工程を容易にすることができる。
【００５５】
なお、本実施の形態では、各ドラムパーツ２４Ａを挿入ピン４０と挿入孔３８の周面との間及び各嵌合面４２間で接着した構成としたが、各ドラムパーツ（パーツ部材）を他の部位間で接着した構成としてもよい。
【００５６】
また、本実施の形態では、各ドラムパーツ２４Ａを組み付ける際に嵌合凸部３４と嵌合凹部３６とを嵌合させた後に挿入孔３８に挿入ピン４０を挿入した構成としたが、各ドラムパーツ（パーツ部材）を組み付ける際に、嵌合凸部を嵌合凹部に挿入（嵌合または圧入を含む）するのみで、挿入ピン及び挿入孔を使用しない構成としてもよい。この場合、必要に応じて嵌合凸部と嵌合凹部とを接着してもよい。
【００５７】
さらに、図４に示す第１変形例に係る回転ドラム７０の如く、各ドラムパーツ２４Ａの一側壁３０に、基端が先端側より小さくされた挿入凸部７２を設けると共に、これに対応して、各ドラムパーツ２４Ａの他側壁３０に、開口が奥側より小さくされた挿入凹部７４を設け、かつ、各ドラムパーツ２４Ａを回転ドラム２４の軸方向へ相対的にスライドさせることで、挿入凸部７２を挿入凹部７４に挿入（嵌合または圧入を含む）して、各ドラムパーツ２４Ａを組み付けた構成としてもよい。
【００５８】
この場合、必要に応じて挿入凸部７２と挿入凹部７４とを接着してもよい。また、挿入凸部７２及び挿入凹部７４の少なくとも一方を弾性変形可能とすれば、ドラムパーツ２４Ａの一側壁３０と他のドラムパーツ２４Ａの他側壁３０とを対向させた状態で接近させて、挿入凸部７２を挿入凹部７４に挿入することができる。
【００５９】
また、例えば図５に示す第２変形例に係る回転ドラム８０の如く、各ドラムパーツ２４Ａの一側壁３０に、係合凸部８２または係合凹部８４が側面に設けられた凸部８６を設けると共に、これに対応して、各ドラムパーツ２４Ａの他側壁３０に、係合凹部８４または係合凸部８２が側面に設けられた凹部８８を設け、かつ、各ドラムパーツ２４Ａを回転ドラム２４の軸方向へ相対的にスライドさせることで、係合凸部８２を係合凹部８４に挿入（嵌合または圧入を含む）した状態で凸部８６を凹部８８に挿入（嵌合または圧入を含む）して、各ドラムパーツ２４Ａを組み付けた構成としてもよい。
【００６０】
この場合、必要に応じて、係合凸部８２と係合凹部８４とを接着したり、凸部８６と凹部８８とを接着してもよい。また、係合凸部８２及び係合凹部８４の少なくとも一方や凸部８６及び凹部８８の少なくとも一方を弾性変形可能とすれば、ドラムパーツ２４Ａの一側壁３０と他のドラムパーツ２４Ａの他側壁３０とを対向させた状態で接近させて、係合凸部８２を係合凹部８４に挿入しかつ凸部８６を凹部８８に挿入することができる。
【００６１】
さらに、本実施の形態（第１変形例及び第２変形例を含む）では、回転ドラム２４、７０、８０が４つのドラムパーツ２４Ａを有する構成としたが、回転ドラム（回転部材）は複数のドラムパーツ（パーツ部材）を有する構成であればよい。
【００６２】
また、本実施の形態（第１変形例及び第２変形例を含む）では、各ドラムパーツ２４Ａを接着剤による接着によって組み付けた構成としたが、各ドラムパーツ（パーツ部材）を溶着等による接着によって組み付けた構成としてもよい。
【００６３】
【発明の効果】
請求項１に記載の回転部材では、パーツ部材とパーツ部材とが互いに接着により組み付けられているため、回転部材の剛性を高めて回転部材の回転時における変形を抑制することができると共に、パーツ部材とパーツ部材との組付部分に異物が侵入することを抑制することができる。
【００６４】
請求項２に記載の回転部材では、パーツ部材とパーツ部材とが互いに組み付けられる際に係止部材が当該各パーツ部材に係止されると共に接着されるため、回転部材の回転時における変形を一層抑制することができる。さらに、仮に係止部材が当該各パーツ部材に若干の隙間を有して係止される場合でも、係止部材が当該各パーツ部材に接着されるため依然として回転部材の剛性を高く維持することができ、これにより、係止部材及び当該各パーツ部材の製造精度を下げて係止部材及び当該各パーツ部材の製造を容易にすることができると共に、係止部材を当該各パーツ部材に容易かつ確実に係止できて当該各パーツ部材を容易かつ確実に組み付けることができる。
【００６５】
請求項３に記載の回転部材では、パーツ部材とパーツ部材とが互いに組み付けられる際に当該各パーツ部材の各嵌合面が互いに嵌合されると共に互いに接着されるため、回転部材の回転時における変形を確実に抑制することができる。
【図面の簡単な説明】
【図１】本発明の実施の形態に係る印刷版自動露光装置における回転ドラムのドラムパーツの組付状況を示す斜視図である。
【図２】本発明の実施の形態に係る印刷版自動露光装置における回転ドラムを示す側面図である。
【図３】本発明の実施の形態に係る印刷版自動露光装置を示す概略的な側面図である。
【図４】本発明の実施の形態に係る印刷版自動露光装置における第１変形例の回転ドラムの主用部を示す側面図である。
【図５】本発明の実施の形態に係る印刷版自動露光装置における第２変形例の回転ドラムを示す斜視図である。
【符号の説明】
１０    印刷版自動露光装置
１２    印刷版（シート材）
２４    回転ドラム（回転部材）
２４Ａ  ドラムパーツ（パーツ部材）
４０    挿入ピン（係止部材）
４２    嵌合面
７０    回転ドラム（回転部材）
８０    回転ドラム（回転部材）
【図１】
2004294545.tif 000003
【図２】
2004294545.tif 000004
【図３】
2004294545.tif 000005
【図４】
2004294545.tif 000006
【図５】
2004294545.tif 000007